(57)【要約】      （修正有）                                                              【課題】入浴の楽しさを満喫することができる。【解決手段】浴槽２０のフランジ２１と洗い場１１との間にエプロン３０を取り付け、浴槽の洗い場側の外側面を覆うようにした浴槽用エプロン装置において、エプロンは取り替え可能であるとともにエプロンの外側面に表現形態Ｄを表示した表現形態は、文字,図形,絵画のうち少なくとも一つが該当する。取り替え可能なエプロンとして、表現形態の異なる複数のエプロンを備えている。【選択図】図１
0003105188.tif 000002
【実用新案登録請求の範囲】
【請求項１】
浴槽のフランジと洗い場との間にエプロンを取り付け、浴槽の洗い場側の外側面を覆うようにした浴槽用エプロン装置において、前記エプロンは取り替え可能であるとともに前記エプロンの外側面に表現形態を表示したことを特徴とする浴槽用エプロン装置。
【請求項２】
請求項１の浴槽用エプロン装置において、前記表現形態とは、文字，図形，絵画のうち少なくとも一つが該当することを特徴とする浴槽用エプロン装置。
【請求項３】
請求項１又は請求項２の浴槽用エプロン装置において、前記取り替え可能なエプロンとして、表現形態の異なる複数のエプロンを備えていることを特徴とする浴槽用エプロン装置。
【考案の詳細な説明】
【技術分野】
【０００１】
この考案は浴槽用エプロン装置に関し、浴槽の外側面を覆う際に使用されるものである。
【背景技術】
【０００２】
従来におけるこの種のエプロン装置は、浴槽のフランジと洗い場との間にエプロンを取り付け、浴槽の外側面を覆うことによって、外側突出部を無くすとともに浴槽のデザイン性を向上させていた。
【０００３】
【特許文献１】特開２００３−１０２６３５
【特許文献２】特開２００１−２９９６１２
【特許文献３】特開平１１−１６９３１１
【考案の開示】
【考案が解決しようとする課題】
【０００４】
しかしながら、かかる従来のエプロン装置にあっては、前記エプロンが無地であったため、使用者の趣味に合わせて選択する範囲は極めて狭く、この結果、浴室の雰囲気は単調なものとならざるを得ず、また、浴室を使用している間に、環境の変化によって使用者の趣味感や家族構成が変わった場合にも対応しにくく、入浴の楽しさを軽減させかねないという不都合を有した。
【０００５】
この考案の課題はかかる不都合を解消することである。
【課題を解決するための手段】
【０００６】
上記課題を達成するために、この考案に係る浴槽用エプロン装置においては、浴槽のフランジと洗い場との間にエプロンを取り付け、浴槽の洗い場側の外側面を覆うようにした浴槽用エプロン装置において、前記エプロンは取り替え可能であるとともに前記エプロンの外側面に表現形態を表示したものである。
【０００７】
なお、前記表現形態とは、文字，図形，絵画のうち少なくとも一つが該当するものである。
【０００８】
また、前記取り替え可能なエプロンとして、表現形態の異なる複数のエプロンを備えているものである。
【考案の効果】
【０００９】
この考案に係る浴槽用エプロン装置は、浴槽のフランジと洗い場との間にエプロンを取り付け、浴槽の洗い場側の外側面を覆うようにした浴槽用エプロン装置において、前記エプロンは取り替え可能であるとともに前記エプロンの外側面に表現形態を表示したため、使用者は己の好みや必要性に応じて、表現形態の異なるエプロンを取り替えることができるものである。
【００１０】
よって、この浴槽用エプロン装置を使用すれば、使用者が浴室を使用している間に、環境の変化によって使用者の趣味感や家族構成が変わった場合にも、その変わった状況にあわせて最適のエプロンに取り替えることができる結果、常に、入浴の楽しさを満喫することができる。特に、エプロンは、浴室の部品で最も交換しやすく安価な部品であるため、上記した入浴の楽しさの満喫は容易にできるものである。
【００１１】
さらに、浴室を設ける場合にも、使用者の趣味に合った表現形態のエプロンを選択することができるため、浴室の雰囲気は単調なものとならず、この点からも、入浴の楽しさを満喫できるものである。
【００１２】
なお、前記表現形態には、文字，図形，絵画のうち少なくとも一つが該当するため、老若男女の趣味に合わせたエプロンを選択して設置することができるものである。
【００１３】
また、前記取り替え可能なエプロンとして、表現形態の異なる複数のエプロンを備えていれば、使用者の好みにあわせてエプロンを取り替える場合に、その作業を迅速に行うことができるものである。
【実施例】
【００１４】
以下、  図面に基づいてこの考案の実施例を説明する。
図１はこの考案に係る浴槽用エプロン装置の斜視図、図２は図１におけるII-II 線断面図、  図３は取り替え可能なエプロンの一例の斜視図である。
【００１５】
図１において、10は浴室である。11は浴室10の洗い場、12は同壁部，13は同カウンター部、20は同浴槽である。
【００１６】
Ｓはエプロン設置枠であり、前記浴槽20のフランジ21と前記洗い場11との間に形成されている。このエプロン設置枠Ｓは浴槽20の裏面側に位置しており略長方形状をしている。
【００１７】
30はエプロンであり、エプロン設置枠Ｓに着脱可能に設置されている。このエプロン30は、通常、前記浴槽20と同じ材質で樹脂成形され、その裏面側を覆っている。
【００１８】
31は表現形態表示部であり、前記エプロン30の主要部を構成している。この表現形態表示部31の表面（外側面）には、文字，図形又は絵画、若しくはこれらを組み合わせた表現形態Ｄが表示されている。例えば、図３に示すように、花等の植物・蝶等の動物やイラストである。他に、表現形態としては、・富士山等の景色・自動車等の乗物の各イラストや写真，アニメ等のようなものが挙げられる。
【００１９】
32は係止片であり、前記エプロン30における前記表現形態表示部の上端縁に段差を介して一体成形されている。図２に示すように、この係止片31は、前記エプロン30を、前記エプロン設置枠Ｓに取り付ける際に、前記浴槽20のフランジ21にに係止される。このとき、前記係止片31と前記浴槽20の裏面との間には通常のクッション材50を介在させる。このクッション材50は予め係止片32の裏面に固着しておいてもよいし、設置工事の際にその場で固着してもよい。
【００２０】
次に、33は掛け止め具であり、前記エプロン30における前記表現形態表示部の下端縁に取り付け固定されている。この掛け止め具33は、前記エプロン設置枠Ｓ前記エプロン30の前記係止片31を係止した状態で、前記エプロン20の下部を押し込むことによって弾性的に前記洗い場11の端縁（前記エプロン設置枠Ｓにおける）に弾性的に掛け止めされる。また、前記エプロン20の取り付けられた状態で、その下部を引くことによってこの掛け止め具33を弾性的に掛け外して、前記エプーン20を取り外すこともできる。
【００２１】
図３に，エプロン30の表現形態表示部31に、表現形態Ｄの一例を示したが、表現形態Ｄとしては多様な趣味に合わせたもの、例えば、例えば、図３に示すように、花等の植物・蝶等の動物のイラストである。他に、表現形態としては、富士山等の景色・自動車等の乗物の各イラストや写真，アニメ等のようなものが挙げられる。また、使用者の家族構成に合わせて表現形態Ｄを代えることもできる。例えば、幼児のいる家庭ではアニメのイラスト、大人ばかりの家庭では外国の景色のイラストや写真等の表現形態Ｄが一例である。
【００２２】
その他、文字の組み合わせ（俳句・短歌等を含まれる），図形の組み合わせような表現形態が考えられる。
【００２３】
このように、異なる表現形態の表示した複数のエプロン30を、予め用意しておけば、浴室10を設置する際に適宜選択することもできるし、設置後に、好みや必要に合わせて適宜取り替えやすいものである。
【産業上の利用可能性】
【００２４】
表現形態の異なるエプロンに取り替えることができるため、使用者の趣味や家族構成に合わせた、入浴の楽しさを満喫しやすい浴槽用エプロン装置として利用することができる。
【図面の簡単な説明】
【００２５】
【図１】図１はこの考案に係る浴槽用エプロン装置の斜視図である。
【図２】図２は図１におけるII-II 線断面図である。
【図３】図３は取り替え可能なエプロンの一例の斜視図である。
【符号の説明】
【００２６】
１０  …  浴室
１１  …  洗い場
１２  …  壁部
１３  …  カウンター
２０  …  浴槽
２１  …  フランジ
３０  …  エプロン
３１  …  表現形態表示部
３２  …  係止片
３３  …  掛け止め具
Ｓ  …  エプロン設置枠
Ｄ  …  表現形態
【図１】
0003105188.tif 000003
【図２】
0003105188.tif 000004
【図３】
0003105188.tif 000005